(57)【要約】【課題】商品の仕様が変更されたときに、商品の仕様の変更を容易かつ迅速に中間業者に認識させる。【解決手段】コード管理サーバ１０が、商品仕様識別コードを含むコード管理情報を格納するコード管理ＤＢ１１と、商品の仕様の変更に伴い変更された商品仕様識別コードを含む仕様変更情報を取得し、取得した仕様変更情報を用いて、コード管理ＤＢ１１に変更後の商品仕様識別情報コードを含むコード管理情報を登録し、仕様変更情報を取得したことにもとづいて、その仕様変更情報に含まれている変更後の商品仕様識別コードを含む仕様変更通知情報を、通信ネットワークを介して中間業者端末６１，６２に送信する。【選択図】図６
2008242535.tif 000002
【特許請求の範囲】
【請求項１】
商品が生産あるいは製造されたときに当該商品を識別するための商品仕様識別コードが付与されている商品についてのコード管理を行うコード管理サーバであって、
前記商品仕様識別コードを含むコード管理情報を格納するコード管理ＤＢと、
商品の仕様の変更に伴い変更された商品仕様識別コードを含む仕様変更情報を取得する仕様変更情報取得手段と、
該仕様変更情報取得手段が取得した仕様変更情報を用いて、前記コード管理ＤＢに変更後の商品仕様識別情報コードを含むコード管理情報を登録する仕様変更コード登録手段と、
前記仕様変更情報取得手段が仕様変更情報を取得したことにもとづいて、当該仕様変更情報に含まれている変更後の商品仕様識別コードを含む仕様変更通知情報を、通信ネットワークを介して中間業者端末に送信する仕様変更通知情報送信手段とを含む
ことを特徴とするコード管理サーバ。
【請求項２】
前記仕様変更情報取得手段が仕様変更情報を取得したことに応じて当該仕様変更情報に含まれている変更後の商品仕様識別コードを使用して当該商品仕様識別コードが付与されている商品の商品カルテを取得する商品カルテ取得手段を含み、
前記仕様変更通知情報送信手段は、前記商品カルテ取得手段が取得した商品カルテに登録されている情報を含む仕様変更通知情報を送信する
請求項１記載のコード管理サーバ。
【請求項３】
前記仕様変更情報は、商品の仕様の変更に伴い変更された商品仕様識別コードと、変更前の商品仕様識別コードを含み、
前記商品カルテ取得手段は、前記変更前の商品仕様識別コードを使用して当該商品仕様識別コードが付与されている商品の商品カルテをも取得する
請求項２記載のコード管理サーバ。
【請求項４】
前記仕様変更通知情報は、変更前の商品仕様識別コードが付与されている商品の商品カルテに登録されている情報の少なくとも一部と、変更後の商品仕様識別コードが付与されている商品の商品カルテに登録されている情報の少なくとも一部とを含む
請求項３記載のコード管理サーバ。
【請求項５】
前記仕様変更通知情報は、少なくとも、変更前の商品仕様識別コードと、変更後の商品仕様識別コードと、変更のあった仕様の変更内容と、変更前の仕様の商品の製造を終了したときを特定可能な終了特定情報と、変更後の仕様の商品の製造を開始したときを特定可能な開始特定情報とを含む
請求項４記載のコード管理サーバ。
【請求項６】
前記仕様変更情報取得手段は、商品を生産あるいは製造して当該商品に商品仕様識別コードを付与する商品メーカによって管理されるメーカ管理サーバから仕様変更情報を取得する
請求項１から請求項５のうちいずれかに記載のコード管理サーバ。
【請求項７】
コード管理情報は、商品仕様識別コードが付与されている商品の商品名を含む
請求項１から請求項６のうちいずれかに記載のコード管理サーバ。
【請求項８】
商品が生産あるいは製造されたときに当該商品を識別するための商品仕様識別コードが付与されている商品についてのコード管理を行うコード管理方法であって、
商品の仕様の変更に伴い変更された商品仕様識別コードを含む仕様変更情報を取得する仕様変更情報取得処理と、
該仕様変更情報取得処理にて取得した仕様変更情報を用いて、前記商品仕様識別コードを含むコード管理情報を格納するコード管理ＤＢに変更後の商品仕様識別情報コードを含むコード管理情報を登録する仕様変更コード登録処理と、
前記仕様変更情報取得処理にて仕様変更情報を取得したことにもとづいて、当該仕様変更情報に含まれている変更後の商品仕様識別コードを含む仕様変更通知情報を、通信ネットワークを介して中間業者端末に送信する仕様変更通知情報送信処理とを含む
ことを特徴とするコード管理方法。
【請求項９】
前記仕様変更情報取得処理にて仕様変更情報を取得したことに応じて当該仕様変更情報に含まれている変更後の商品仕様識別コードを使用して当該商品仕様識別コードが付与されている商品の商品カルテを取得する商品カルテ取得処理を含み、
前記仕様変更通知情報送信処理では、前記商品カルテ取得処理にて取得した商品カルテに登録されている情報を含む仕様変更通知情報を送信する
請求項８記載のコード管理方法。
【請求項１０】
前記仕様変更情報は、商品の仕様の変更に伴い変更された商品仕様識別コードと、変更前の商品仕様識別コードを含み、
前記商品カルテ取得処理では、前記変更前の商品仕様識別コードを使用して当該商品仕様識別コードが付与されている商品の商品カルテをも取得する
請求項１０記載のコード管理方法。
【請求項１１】
前記仕様変更通知情報は、変更前の商品仕様識別コードが付与されている商品の商品カルテに登録されている情報の少なくとも一部と、変更後の商品仕様識別コードが付与されている商品の商品カルテに登録されている情報の少なくとも一部とを含む
請求項１０記載のコード管理方法。
【請求項１２】
前記仕様変更通知情報は、少なくとも、変更前の商品仕様識別コードと、変更後の商品仕様識別コードと、変更のあった仕様の変更内容と、変更前の仕様の商品の製造を終了したときを特定可能な終了特定情報と、変更後の仕様の商品の製造を開始したときを特定可能な開始特定情報とを含む
請求項１１記載のコード管理方法。
【請求項１３】
前記仕様変更情報取得処理では、商品を生産あるいは製造して当該商品に商品仕様識別コードを付与する商品メーカによって管理されるメーカ管理サーバから仕様変更情報を取得する
請求項８から請求項１２のうちいずれかに記載のコード管理方法。
【請求項１４】
コード管理情報は、商品仕様識別コードが付与されている商品の商品名を含む
請求項８から請求項１３のうちいずれかに記載のコード管理方法。
【発明の詳細な説明】
【技術分野】
【０００１】
本発明は、商品が生産あるいは製造されたときに当該商品を識別するための商品仕様識別コードが付与されている商品についてのコード管理を行うコード管理サーバ、及びコード管理方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
上述した特許文献１に記載された従来のシステムでは、商品（青果物、肉、鶏卵、加工食品、調味料、飲料など）の生産・流通履歴が提供されることになる。しかしながら、商品の仕様が変更されコードが更新された場合に、商品卸業者などの中間業者が仕様の変更を把握することができず、仕様の更新前後の商品を同一商品として取り扱ってしまうことがある。このような誤りが生じると、顧客が購入した商品に付されているコードにもとづき履歴情報を検索することで、顧客が希望していた仕様と異なっていることが容易に確認されるため、顧客満足度が低下してしまうおそれがあった。よって、中間業者が商品の仕様の変更を容易かつ迅速に把握することができるシステムが望まれている。
【０００６】
本発明は、上述した問題を解消し、商品の仕様が変更されたときに、商品の仕様の変更を容易かつ迅速に中間業者に認識させることができるようにすることを目的とする。
【課題を解決するための手段】
【０００７】
本発明のコード管理サーバは、商品が生産あるいは製造されたときに当該商品を識別するための商品仕様識別コードが付与されている商品についてのコード管理を行うコード管理サーバであって、前記商品仕様識別コードを含むコード管理情報を格納するコード管理ＤＢと、商品の仕様の変更に伴い変更された商品仕様識別コードを含む仕様変更情報を取得する仕様変更情報取得手段と、該仕様変更情報取得手段が取得した仕様変更情報を用いて、前記コード管理ＤＢに変更後の商品仕様識別情報コードを含むコード管理情報を登録する仕様変更コード登録手段と、前記仕様変更情報取得手段が仕様変更情報を取得したことにもとづいて、当該仕様変更情報に含まれている変更後の商品仕様識別コードを含む仕様変更通知情報を、通信ネットワークを介して中間業者端末に送信する仕様変更通知情報送信手段とを含むことを特徴とする。
【０００８】
上記のように構成したことで、商品の仕様が変更されたときに、商品の仕様の変更を容易かつ迅速に中間業者に認識させることができるようになる。
【０００９】
前記仕様変更情報取得手段が仕様変更情報を取得したことに応じて当該仕様変更情報に含まれている変更後の商品仕様識別コードを使用して当該商品仕様識別コードが付与されている商品の商品カルテを取得する商品カルテ取得手段を含み、前記仕様変更通知情報送信手段は、前記商品カルテ取得手段が取得した商品カルテに登録されている情報を含む仕様変更通知情報を送信する構成とされていてもよい。
【００１０】
前記仕様変更情報は、商品の仕様の変更に伴い変更された商品仕様識別コードと、変更前の商品仕様識別コードを含み、前記商品カルテ取得手段は、前記変更前の商品仕様識別コードを使用して当該商品仕様識別コードが付与されている商品の商品カルテをも取得する構成とされていてもよい。
【００１１】
前記仕様変更通知情報は、変更前の商品仕様識別コードが付与されている商品の商品カルテに登録されている情報の少なくとも一部と、変更後の商品仕様識別コードが付与されている商品の商品カルテに登録されている情報の少なくとも一部とを含む構成とされていてもよい。
【００１２】
前記仕様変更通知情報は、少なくとも、変更前の商品仕様識別コードと、変更後の商品仕様識別コードと、変更のあった仕様の変更内容と、変更前の仕様の商品の製造を終了したときを特定可能な終了特定情報と、変更後の仕様の商品の製造を開始したときを特定可能な開始特定情報とを含む構成とされていてもよい。
【００１３】
前記仕様変更情報取得手段は、商品を生産あるいは製造して当該商品に商品仕様識別コードを付与する商品メーカによって管理されるメーカ管理サーバから仕様変更情報を取得する構成とされていてもよい。
【００１４】
コード管理情報は、例えば、商品仕様識別コードが付与されている商品の商品名を含む。
【００１５】
また、本発明のコード管理方法は、商品が生産あるいは製造されたときに当該商品を識別するための商品仕様識別コードが付与されている商品についてのコード管理を行うコード管理方法であって、商品の仕様の変更に伴い変更された商品仕様識別コードを含む仕様変更情報を取得する仕様変更情報取得処理と、該仕様変更情報取得処理にて取得した仕様変更情報を用いて、前記商品仕様識別コードを含むコード管理情報を格納するコード管理ＤＢに変更後の商品仕様識別情報コードを含むコード管理情報を登録する仕様変更コード登録処理と、前記仕様変更情報取得処理にて仕様変更情報を取得したことにもとづいて、当該仕様変更情報に含まれている変更後の商品仕様識別コードを含む仕様変更通知情報を、通信ネットワークを介して中間業者端末に送信する仕様変更通知情報送信処理とを含むことを特徴とする。
【発明の効果】
【００１６】
本発明によれば、商品の仕様が変更されたときに、商品の仕様の変更を容易かつ迅速に中間業者に認識させることができるようになる。
【発明を実施するための最良の形態】
【００１７】
以下、本発明の一実施の形態について図面を参照して説明する。
図１は、本発明の一実施の形態に係るコード管理システム１００の構成の例を示すブロック図である。図１に示すように、コード管理システム１００は、コード管理サーバ１０と、商品マスタサーバ２０と、小売店サーバ３１〜３Ｎ（Ｎ：任意の正の整数）と、メーカ商品サーバ５１，５２と、中間業者端末６１，６２とを含む。コード管理サーバ１０、商品マスタサーバ２０、小売店サーバ３１〜３Ｎ、メーカ商品サーバ５１，５２、および中間業者端末６１，６２は、それぞれ、例えばインターネットなどの通信ネットワーク４０に接続されている。
【００１８】
コード管理サーバ１０、商品マスタサーバ２０、小売店サーバ３１〜３Ｎ、メーカ商品サーバ５１，５２、および中間業者端末６１，６２は、それぞれ、ＷＷＷサーバなどの情報処理装置によって構成される。
【００１９】
コード管理サーバ１０は、例えばコード管理システム１００のシステム管理者によって管理されるサーバであり、商品が生産あるいは製造されたときにその商品に付与される製造コードや各小売店にて使用されているインストアコードの管理を行うものである。
【００２０】
コード管理サーバ１０は、コード管理情報が格納されるコード管理ＤＢ１１と、メーカ生産管理情報が格納されるメーカ生産管理ＤＢ１２とを備えている。コード管理情報は、製造コードと各小売店にて使用されているインストアコードとの関係を管理するための情報である。メーカ生産管理情報は、商品が生産あるいは製造されたときにメーカ側によってその商品に付与された製造コードと、その製造コードが示す商品の商品名と、その商品を生産あるいは製造したメーカ名とを含む。なお、コード管理ＤＢ１１と、メーカ生産管理ＤＢ１２とは、コード管理サーバ１０の内部にあっても外部にあってもよい。また、メーカ生産管理情報は、例えば、各メーカＡ，Ｂが管理するメーカ商品サーバ５１，５２から、例えば定期的にコード管理サーバ１０に通信ネットワークを介して送信され、メーカ生産管理ＤＢ１２に蓄積される。
【００２１】
商品マスタサーバ２０は、商品の生産履歴や流通履歴を含む商品履歴情報などのその商品に関わる各種の情報を含む商品マスタ（商品カルテ）が格納される商品マスタＤＢ２１を備えている。商品マスタは、商品を一意に特定するための商品マスタ番号（商品カルテコードの一例）と、その商品に付与されている製造コードとを含む（図５参照）。なお、商品マスタＤＢ２１は、商品マスタサーバ２０の内部にあっても外部にあってもよい。
【００２２】
小売店サーバ３１〜３Ｎは、それぞれ、例えば各小売チェーンＡ〜Ｎを管理する小売チェーン管理者によって管理され、各小売チェーンＡ〜Ｎにて使用されるＰＯＳ情報を格納する小売チェーン商品マスタＤＢ３１ａ〜３Ｎａを備えている。小売店サーバ３１〜３Ｎは、それぞれ、例えば各小売チェーンＡ〜Ｎ内に設置される。小売店サーバ３１〜３Ｎには、図示はしないが、各小売チェーンＡ〜Ｎ内で用いられるＰＯＳレジスタ（購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。）や、小売店サーバ３１〜３Ｎの処理前にＰＯＳデータイントラ処理を行うコンピュータなどが接続されている。
【００２３】
また、小売店サーバ３１〜３Ｎは、それぞれ、例えば、商品に関連する事項をラベルに印字して、印字したラベルを該当する商品に貼付するラベル印字貼付装置（図示せず）を備えている。
【００２４】
メーカ商品サーバ５１，５２は、それぞれ、商品を生産あるいは製造するメーカＡ，Ｂによって管理され、生産あるいは製造して出荷した商品に関わる各種の情報を含むメーカ商品管理情報が格納されるメーカ管理ＤＢ５１ａ，５２ａを備えている。メーカ商品管理情報は、商品名と、商品が生産あるいは製造されたときにメーカＡによってその商品に付与されたＪＡＮコード（本例では「製造コード」を意味する）と、商品マスタ番号（商品マスタコードの一例）と、メーカコードと、製造開始日（同一仕様の商品の製造開始日）とが対応付けされた情報である。メーカコードは、各メーカによって自己が生産あるいは製造した商品に一意に独自に割り振られるコードであって、ＪＡＮ形式などの特定の標準形式であってもよいし、メーカ独自の形式をもったものであってもよい。メーカ管理ＤＢ５１ａ，５２ａは、それぞれ、メーカ商品サーバ５１，５２の内部にあっても外部にあってもよい。なお、本例では、２つのメーカ商品サーバ５１，５２を備える構成としているが、メーカ商品サーバはいくつ備えられていてもよい。
【００２５】
中間業者端末６１，６２は、それぞれ、商品の卸業者などの中間業者によって管理されるパーソナルコンピュータなどの情報処理装置である。
【００２６】
図２は、小売チェーンＡに設置されている小売店サーバ３１が備える小売チェーン商品マスタＤＢ３１ａに格納されるＰＯＳ情報の例を示す説明図である。図２に示すように、ＰＯＳ情報は、商品名と、インストアコードと、製造コードと、商品の値段とを含む。インストアコードは、ＪＡＮ形式などの特定の標準形式であってもよいし、店舗独自の形式をもったものであってもよい。インストアコードは、該当する小売チェーンＡ内のＰＯＳシステムにおいて所定の商品に対応付けて現在使用されているＰＯＳコードである。
【００２７】
図２に示すように、商品名としては、弁当Ａ、調味料Ａなどの商品の名称及び／又はサプライヤー名（メーカー名）が設定される。また、値段には、個数や重さ毎の販売単位の値段が設定される。
【００２８】
ＰＯＳ情報は、各小売店サーバ３１〜３Ｎが備える各小売チェーン商品マスタＤＢ３１ａ〜３Ｎａにそれぞれ格納されている。また、ＰＯＳ情報は、各店舗に採用されているＰＯＳシステムによって、同じ商品であっても異なるインストアコードが設定される場合がある。
【００２９】
図３は、小売チェーンＡに設置されている小売店サーバ３１が備える小売チェーン商品マスタＤＢ３１ａに格納される小売チェーン商品マスタの例を示す説明図である。図３に示すように、小売チェーン商品マスタは、商品名と、インストアコードと、対応する商品を示すアイコンデータと、商品の入荷日と、商品の賞味期限とを含む。アイコンデータは、例えば、該当する商品の写真等の画像データである。
【００３０】
小売チェーン商品マスタは、各小売チェーンＡ〜Ｎにてそれぞれ管理される小売チェーン用の商品マスタであって、店サーバ３１〜３Ｎ各小売店サーバ３１〜３Ｎが備える各小売チェーン商品マスタＤＢ３１ａ〜３Ｎａにそれぞれ格納されている。
【００３１】
図４は、コード管理ＤＢ１１に格納されるコード管理情報の例を示す説明図である。図４に示すように、コード管理情報は、商品名と、製造コードと、小売チェーン名と、インストアコードと、製造コードが示す商品の製造期間とが対応付けされた情報である。製造期間は、該当する製造コード（あるいはその製造コードに対応付けされている商品カルテコード）が付与されている商品が製造される日付の範囲を示す期間を意味し、該当する商品が現在も生産あるいは製造されている場合には期間終了日が確定できないため「使用継続中（適用中）」が設定される。なお、製造期間は、日単位でなく、月、週、時間、分、秒単位で管理するようにしてもよい。
【００３２】
図５は、商品マスタＤＢ２１に格納される商品カルテの例を示す説明図である。図５に示すように、商品カルテには、該当する商品の商品名と、その商品に一意に付与されている製造コードと、その商品に一意に付与されている商品カルテコードと、その商品に使用されている材料と、各使用材料の分量を示す使用材料分量情報と、各使用材料の仕様を示す使用材料仕様情報とが対応付けされた情報である。使用材料の仕様情報とは、その使用材料（例えば商品の各素材製品や半製品（玉子焼き、煮豆、ペーストなど））のエネルギー（カロリー）、原料、添加物、アレルゲンなどに関する仕様を示す情報を意味する。
【００３３】
次に、本例のコード管理システム１００の動作について説明する。
図６は、本例のコード管理システム１００におけるコード管理サーバ１０が実行するコード管理情報登録処理の例を示すフローチャートである。コード管理情報登録処理は、例えば、コード管理サーバ１０のオペレータにより指示があったとき、あるいは定期的（例えば１日１回早朝あるいは深夜など）に実行される。
【００３４】
コード管理情報登録処理において、先ず、コード管理サーバ１０は、メーカ生産管理ＤＢ１２に格納されているメーカ生産管理情報のうち、新規に登録（前回取得したとき以降の登録）されていたメーカ生産管理情報（新規商品のメーカ生産管理情報（新規登録情報）及び仕様変更された商品のメーカ生産管理情報（仕様変更情報））を読み出す（ステップＳ１０１）。なお、仕様変更された商品のメーカ生産管理情報には、仕様変更後の商品の製造コードと、仕様変更前の商品の製造コードとが識別可能に含まれている。
【００３５】
次いで、コード管理サーバ１０は、新規登録情報に含まれている商品名と製造コードとをコード管理ＤＢ１１に格納されているコード管理情報の該当項目にそれぞれ新たに登録し、対応する製造期間の項目に、その開始日を登録し、終了日は未定なので「使用継続中」と登録する（ステップＳ１０２）。同様に、コード管理サーバ１０は、仕様変更情報に含まれている商品名と製造コードとをコード管理ＤＢ１１に格納されているコード管理情報の該当項目にそれぞれ新たに登録し、対応する製造期間の項目に、その開始日を登録し、終了日は未定なので「使用継続中」と登録する（ステップＳ１０２）。なお、終了日は、メーカ側の端末からの指示に応じて、コード管理サーバ１０が登録することとすればよい。
【００３６】
次に、コード管理サーバ１０は、ステップＳ１０１にて仕様変更情報を取得していれば、仕様変更した商品の製造コードと仕様変更前の商品の製造コードとを提示して、商品マスタサーバ２０から仕様変更した商品の商品マスタと、仕様変更前の商品との商品マスタとを取得し、仕様変更通知情報を生成して、各中間業者端末６１，６２に送信する（ステップＳ１０３）。
【００３７】
仕様変更通知情報は、例えば、仕様変更前の商品に関する情報を示す仕様変更前商品情報と、仕様変更後の商品に関する情報を示す仕様変更後商品情報と、変更された仕様の内容を示す変更仕様情報とを含む。各中間業者端末６１，６２は、通信ネットワークを介して受信した仕様変更通知情報を中間業者に報知するための仕様変更通知情報報知画面を自己が備える表示装置に表示する。仕様変更通知情報報知画面には、例えば図７に示すように、仕様変更前商品情報を表示する表示領域５０１と、仕様変更後商品情報を表示する表示領域５０２と、変更仕様情報を表示する表示領域５０３とが設けられている。
【００３８】
次いで、コード管理サーバ１０は、ステップＳ１０３にて取得したＰＯＳ情報に含まれている製造コードを含むコード管理情報に対応付けして、インストアコードや小売チェーン名を登録する（ステップＳ１０４）。ＰＯＳ情報に含まれている製造コードを含むコード管理情報にインストアコードが既に対応付けされていれば、そのＰＯＳ情報に含まれている製造コードを含むコード管理情報をコピーしたあと、インストアコードや小売チェーン名をＰＯＳ情報に含まれているものに更新することで、インストアコードや小売チェーン名を登録する。
【００３９】
本例では、例えば、該当する商品に使用される材料に変更があった場合等に、メーカ生産管理情報に含まれている製造コードが更新されて、メーカ生産管理ＤＢ１２に登録される。また、製造コードが更新されると、該当する商品についての商品カルテが新たに作成され、商品マスタＤＢ２１に格納される。この商品カルテには、新たに付与された商品カルテコードが含まれる。そして、製造コードが更新されると、その旨が小売店サーバ３１〜３Ｎに通知され、ＰＯＳ情報における製造コードが更新される。本例では、商品名が同じ（例えば、商品としては、○○コロッケ、××弁当など変わらない）ものについては、小売店サーバ３１〜３Ｎにおいて、インストアコードは更新されないものとする。
【００４０】
図８は、本例のコード管理システム１００におけるコード管理サーバ１０が実行する商品検索処理の例を示すフローチャートである。ここでは、小売店サーバ３１のオペレータにより指定されたインストアコードが付与されている商品であって、指定された賞味期限の商品について、使用材料などの商品情報が検索される場合を例に説明する。
【００４１】
先ず、小売店サーバ３１のオペレータは、図９に示すような検索条件指定画面の検索条件指定領域１０１に、検索対象とする商品に付与されているインストアコードと、その商品の賞味期限とを入力することによって、検索条件を指定する。検索条件が指定されると、検索条件指定画面の検索対象確認領域１０２には、検索対象として指定された商品の商品名と、その商品の製造コードが表示される。すなわち、小売店サーバ３１は、オペレータからの検索条件の指定を受け付けると、ＰＯＳ情報と小売チェーン商品マスタを用いて、商品名と製造コードを検索し、検索対象確認領域１０２に表示する処理を行う。そして、オペレータは、検索条件の指定内容を確認すると、マウスなどの入力装置を操作することにより、検索実行ボタン１０３を押下する。検索実行ボタン１０３が押下されると、小売店サーバ３１は、指定されているインストアコードと賞味期限とをコード管理サーバ１０に対して送信する。
【００４２】
商品検索処理において、コード管理サーバ１０は、小売店サーバ３１から通信ネットワーク４０を介してインストアコード（例えばＡ０００００２３）と、賞味期限（例えば２００７年０３月２３日）とを含む検索依頼情報を受け付ける（ステップＳ３０１）。
【００４３】
次に、コード管理サーバ１０は、コード管理ＤＢ１１を参照して、ステップＳ３０１にて受け付けたインストアコードに対応付けされ、ステップＳ３０１にて受け付けた賞味期限が賞味期限該当期間に含まれているコード管理情報を検索し、抽出する（ステップＳ３０２）。
【００４４】
次に、コード管理サーバ１０は、ステップＳ３０２にて抽出したコード管理情報に含まれている製造コードを選択することで、ステップＳ３０１にて受け付けたインストアコードが使用されていた商品のうちステップＳ３０１にて受け付けた賞味期限の商品に付与されている製造コードを特定する（ステップＳ３０３）。
【００４５】
次に、コード管理サーバ１０は、商品マスタサーバ２０に対してステップＳ３０３にて特定した製造コードを提示して、商品マスタサーバ２０から提示した製造コードに対応付けされている商品カルテコードが付与されている商品カルテを取得する（ステップＳ３０４）。
【００４６】
そして、コード管理サーバ１０は、取得した商品カルテが示す商品名、使用材料を含む商品検索結果情報の表示領域が設けられた検索結果画面を表示するための検索結果画面情報を生成し、必要に応じて使用材料の表示順番を決定し、決定した表示順番を指定して、生成した検索結果画面情報を小売店サーバ３１に送信する（ステップＳ３０５）。なお、表示順番は、あらかじめ定められている決定ルールに従って決定される。ここでは、例えば、あらかじめ商品毎に定められている優先順位の高い方から順番に表示することとする。この優先順位は、例えば表示順番決定用のテーブルなどに登録されてコード管理サーバ１０が備えるＤＢに格納されている。小売店サーバ３１は、自己が備える表示装置の表示画面上に、受信した検索結果画面情報が示す検索結果画面を表示する。検索結果画面は、例えば図１０に示すように、検索条件を表示する検索条件表示領域２０１と、検索結果を表示する検索結果表示領域２０２とが設けられている。本例では、検索結果表示領域２０２に、指定された順番で、使用材料が表示される。
【００４７】
なお、上記の例では、商品カルテの一部を抽出して検索結果画面に表示することとしていたが、商品カルテの内容の全部を抽出して検索結果画面に表示するようにしてもよい。また、上記の例では、検索結果画面を表示する構成としていたが、印刷することとしてもよく、音声により検索結果を出力することとしてもよい。
【００４８】
また、上記の例では、小売店サーバ３１に検索結果画面が表示される構成としていたが、小売店サーバ３１が備えるラベル印字貼付装置にてラベルに商品関連情報を印字する際に、上述した検索結果画面の表示情報や小売店にて把握可能な情報をラベルに印字して、該当する商品に貼付するようにしてもよい。
【００４９】
以上に説明したように、上述した一実施の形態では、コード管理サーバ１０が、商品仕様識別コードを含むコード管理情報を格納するコード管理ＤＢ１１と、商品の仕様の変更に伴い変更された商品仕様識別コードを含む仕様変更情報を取得し、取得した仕様変更情報を用いて、コード管理ＤＢ１１に変更後の商品仕様識別情報コードを含むコード管理情報を登録し、仕様変更情報を取得したことにもとづいて、その仕様変更情報に含まれている変更後の商品仕様識別コードを含む仕様変更通知情報を、通信ネットワークを介して中間業者端末６１，６２に送信することを特徴とするので、商品の仕様が変更されたときに、商品の仕様の変更を容易かつ迅速に中間業者に認識させることができるようになる。この使用変更通知情報の送信によって、中間業者に対して、入荷時、保管時、出荷時などに、仕様にもとづくロットの仕分けや返却指示を自動的に警告することが可能となる。
【００５０】
また、上述した実施の形態では、コード管理サーバ１０が、仕様変更情報を取得したことに応じてその仕様変更情報に含まれている変更後の商品仕様識別コードを使用してその商品仕様識別コードが付与されている商品の商品カルテを取得し、取得した商品カルテに登録されている情報を含む仕様変更通知情報を送信する構成としているので、商品カルテに登録されている情報を仕様変更情報として通知することが可能となる。
【００５１】
また、上述した実施の形態では、仕様変更情報が、商品の仕様の変更に伴い変更された商品仕様識別コードと、変更前の商品仕様識別コードとを含み、コード管理サーバ１０が、変更前の商品仕様識別コードを使用してその商品仕様識別コードが付与されている商品の商品カルテをも取得する構成としているので、仕様変更前の商品の商品カルテに登録されている情報をも仕様変更情報として通知することが可能となる。
【００５２】
また、上述した実施の形態では、仕様変更通知情報が、変更前の商品仕様識別コードが付与されている商品の商品カルテに登録されている情報の少なくとも一部と、変更後の商品仕様識別コードが付与されている商品の商品カルテに登録されている情報の少なくとも一部とを含む構成としているので、仕様変更前後の商品カルテに登録されている情報の一部を仕様変更情報として通知することが可能となる。
【００５３】
また、上述した実施の形態では、仕様変更通知情報は、少なくとも、変更前の商品仕様識別コードと、変更後の商品仕様識別コードと、変更のあった仕様の変更内容と、変更前の仕様の商品の製造を終了したときを特定可能な終了特定情報と、変更後の仕様の商品の製造を開始したときを特定可能な開始特定情報とを含む構成としているので、仕様の変更内容を正確に通知することができる。
【００５４】
また、上述した実施の形態では、コード管理サーバ１０が、商品を生産あるいは製造してその商品に商品仕様識別コードを付与する商品メーカによって管理されるメーカ管理サーバから仕様変更情報を取得する構成としているので、仕様変更情報を的確に取得することができる。
【産業上の利用可能性】
【００５５】
本発明によれば、商品の仕様が変更されたときに、商品の仕様の変更を容易かつ迅速に中間業者に認識させるのに有用である。
【図面の簡単な説明】
【００５６】
【図１】本発明の一実施の形態に係るコード管理システムの構成の例を示すブロック図である。
【図２】ＰＯＳ情報の例を示す説明図である。
【図３】小売チェーン商品マスタの例を示す説明図である。
【図４】コード管理情報の例を示す説明図である。
【図５】商品カルテの内容の例を示す説明図である。
【図６】コード管理情報登録処理の例を示すフローチャートである。
【図７】仕様変更通知画面の例を示す説明図である。
【図８】商品検索処理の例を示すフローチャートである。
【図９】検索条件指定画面の例を示す説明図である。
【図１０】検索結果画面の例を示す説明図である。
【符号の説明】
【００５７】
１０        コード管理サーバ
１１        コード管理ＤＢ
２０        商品マスタサーバ
３１〜３Ｎ  小売店サーバ
４０        通信ネットワーク
５１，５２  メーカ商品サーバ
６１，６２  中間業者端末
１００      コード管理システム
【図１】
2008242535.tif 000003
【図２】
2008242535.tif 000004
【図３】
2008242535.tif 000005
【図４】
2008242535.tif 000006
【図５】
2008242535.tif 000007
【図６】
2008242535.tif 000008
【図７】
2008242535.tif 000009
【図８】
2008242535.tif 000010
【図９】
2008242535.tif 000011
【図１０】
2008242535.tif 000012